(57)【要約】【課題】本発明は、遮蔽部材を余剰開口部に対して着脱自在に取り付け、遮蔽部材を取り外した際に現出する余剰開口部をアクセサリ類の取付作業に利用して取付作業性を向上し得ることを目的としている。【解決手段】このため、インストルメントパネルに装着される装飾パネルに空気吹出口が配設される開口部を設け、この開口部を前記空気吹出口よりも大きく形成するとともに、この空気吹出口の周辺に形成される余剰開口部に遮蔽部材を設けた車両用空気吹出口構造において、遮蔽部材を余剰開口部に着脱可能に取り付けている。【選択図】図１
2006224832.tif 000002
【特許請求の範囲】
【請求項１】
インストルメントパネルに装着される装飾パネルに空気吹出口が配設される開口部を設け、この開口部を前記空気吹出口よりも大きく形成するとともに、この空気吹出口の周辺に形成される余剰開口部に遮蔽部材を設けた車両用空気吹出口構造において、前記遮蔽部材を前記余剰開口部に着脱可能に取り付けたことを特徴とする車両用空気吹出口構造。
【請求項２】
前記遮蔽部材の外周面を前記開口部の内周面に略一致させたことを特徴とする請求項１に記載の車両用空気吹出口構造。
【請求項３】
前記空気吹出口の出口部に風向を調整するルーバを備えたルーバケースを装着するとともに、このルーバケースに前記余剰開口部を一体形成したことを特徴とする請求項１または請求項２に記載の車両用空気吹出口構造。
【請求項４】
前記遮蔽部材に前記ルーバと平行な擬似ルーバを設けたことを特徴とする請求項３に記載の車両用空気吹出口構造。
【請求項５】
前記装飾パネルにアクセサリ用開口部を設け、このアクセサリ用開口部に取り付けられるアクセサリの車体側取付部を、前記装飾パネルの裏側で前記余剰開口部を通して作業可能な位置に設けたことを特徴とする請求項１に記載の車両用空気吹出口構造。
【発明の詳細な説明】
【技術分野】
【０００１】
この発明は車両用空気吹出口構造に係り、特に遮蔽部材を余剰開口部に対して着脱自在に取り付け、遮蔽部材を取り外した際に現出する余剰開口部をアクセサリ類の取付作業に利用して取付作業性を向上し得る車両用空気吹出口構造に関するものである。
【背景技術】
【０００２】
車両の車室内において、前部のインストルメントパネルには車載用空調機の空気吹出口やオーディオ等のアクセサリが設けられている。
【０００３】
このとき、前記インストルメントパネルに空気吹出口やオーディオ等のアクセサリを設ける際には、装飾パネルが使用されている。
【０００４】
【特許文献１】特開平９−２１０４３７号公報
【発明の開示】
【発明が解決しようとする課題】
【０００５】
ところで、従来の車載用空調機における車両用空気吹出口構造においては、装飾パネルに、空調性能上は必要ないが、意匠上、上記の空気吹出口と同一形状に形成された模擬開口部である余剰開口部を有するものがある。
【０００６】
また、車両のインストルメントパネルには、装飾パネルによって、空気吹出口の他にオーディオ等のアクセサリ類が取り付けられる。
【０００７】
このようなアクセサリ類を取り付ける場合には、前記インストルメントパネルに取付作業用開口として機能するサービスホールを設けるとともに、このサービスホールを閉塞するキャップを設けていた。
【０００８】
この際、従来のサービスホール用キャップは、専用の見切り線が運転席に露出するため、意匠上、見苦しいものであるという不都合がある。
【０００９】
この発明は、車載用空調機の空気吹出口の模擬開口部である余剰開口部に、サービスホールとしての機能を付加したものであり、意匠性、つまり見栄えを向上させるという機能を有する。
【課題を解決するための手段】
【００１０】
そこで、この発明は、上述不都合を除去するために、インストルメントパネルに装着される装飾パネルに空気吹出口が配設される開口部を設け、この開口部を前記空気吹出口よりも大きく形成するとともに、この空気吹出口の周辺に形成される余剰開口部に遮蔽部材を設けた車両用空気吹出口構造において、前記遮蔽部材を前記余剰開口部に着脱可能に取り付けたことを特徴とする。
【発明の効果】
【００１１】
以上詳細に説明した如くこの本発明によれば、インストルメントパネルに装着される装飾パネルに空気吹出口が配設される開口部を設け、この開口部を空気吹出口よりも大きく形成するとともに、この空気吹出口の周辺に形成される余剰開口部に遮蔽部材を設けた車両用空気吹出口構造において、遮蔽部材を余剰開口部に着脱可能に取り付けたので、遮蔽部材を余剰開口部に対して着脱自在に取り付けることができ、遮蔽部材を取り外した際に現出する余剰開口部をアクセサリ類の取付作業に利用でき、取付作業性を向上できる。
【発明を実施するための最良の形態】
【００１２】
上述の如く発明したことにより、遮蔽部材を余剰開口部に対して着脱自在に取り付け、遮蔽部材を取り外した際に現出する余剰開口部をアクセサリ類の取付作業に利用し、取付作業性を向上させている。
【実施例】
【００１３】
以下図面に基づいてこの発明の実施例を詳細に説明する。
【００１４】
図１〜図６はこの発明の実施例を示すものである。図１において、２は図示しない車両のインストルメントパネル、４はインストルメントパネル２に装着される装飾パネルである。
【００１５】
このインストルメントパネル２に装着される装飾パネル４に、図１及び図２に示す如く、装飾パネル４の左右両側部位に合計２個、かつ空気吹出口６が配設される開口部８を設ける。
【００１６】
このとき、前記装飾パネル４に形成される開口部８の形状を、図１及び図２に示す如く、例えば外側方向に凸状態となる半円形状に夫々形成する。
【００１７】
そして、前記開口部８を空気吹出口６よりも大きく形成するとともに、この空気吹出口６の周辺、例えば空気吹出口６の下方に余剰開口部１０を形成し、この余剰開口部１０を閉塞する遮蔽部材１２を設ける。
【００１８】
また、前記遮蔽部材１２を前記余剰開口部１０に着脱可能に取り付ける構成とする。
【００１９】
詳述すれば、図１〜図４に示す如く、前記装飾パネル４の左右両側部位に形成される前記開口部８において、この開口部８の上方部位に空気吹出口６が配設され、開口部８の下方部位、つまり空気吹出口６の下方に余剰開口部１０が形成されており、この余剰開口部１０の閉塞、あるいは開放を可能とするように、余剰開口部１０に着脱可能に前記遮蔽部材１２を取り付けるものである。
【００２０】
このとき、この遮蔽部材１２は、図６に示す如く、板状の本体部１２−１の裏面側、つまり車両前方側の縁部である外周面１２−２近傍に複数個、例えば４個の爪部１２ａ−３、１２ｂ−３、１２ｃ−３、１２ｄ−３を有し、これらの爪部１２ａ−３、１２ｂ−３、１２ｃ−３、１２ｄ−３を弾性変形させて前記遮蔽部材１２を着脱可能とする。
【００２１】
また、前記遮蔽部材１２の外周面１２−２を前記開口部８の内周面８−１に略一致させて設ける。
【００２２】
つまり、開口部８の内周面８−１の湾曲形状に略合致するように、前記遮蔽部材１２の外周面１２−２の湾曲形状を形成するものである。
【００２３】
更に、前記開口部８に、前記空気吹出口６の出口部、つまり車両後方側である車室内側に風向を調整するルーバ１４を備えたルーバケース１６を装着するとともに、このルーバケース１６に前記余剰開口部１０を一体形成する。
【００２４】
つまり、前記開口部８には、図３及び図４に示す如く、この開口部８の内周面８−１の湾曲形状に略合致するように形成したルーバケース１６が装着されるものであり、このルーバケース１６の上部にルーバ１４を設けるとともに、このルーバ１４の下方に前記余剰開口部１０を一体的に形成し、前記遮蔽部材１２の４個の爪部１２ａ−３、１２ｂ−３、１２ｃ−３、１２ｄ−３が、ルーバケース１６に対して係合、あるいは離脱し、前記余剰開口部１０の閉塞、あるいは開放を可能とするものである。
【００２５】
そして、前記ルーバ１４は、図３及び図４に示す如く、車両前方側に位置し、縦方向に延びる複数本の縦ルーバ１４−１と、この縦ルーバ１４−１よりも車両後方側である車室内側に位置し、横方向に延びる複数本の横ルーバ１４−２とからなる。
【００２６】
更にまた、前記遮蔽部材１２には、図５に示す如く、前記ルーバ１４の横ルーバ１４−２と平行な擬似ルーバ１２−４を設ける。この擬似ルーバ１２−４は、前記遮蔽部材１２の取付・取り外し用把持部として機能するとともに、前記遮蔽部材１２の補強用リブとしても機能する。
【００２７】
また、前記装飾パネル６の中央部位にアクセサリ用開口部１８を設け、このアクセサリ用開口部１８に取り付けられるアクセサリ２０の車体側取付部２２を、前記装飾パネル６の裏側で前記余剰開口部１０を通して作業可能な位置に設ける。
【００２８】
つまり、図２及び図３に示す如く、前記アクセサリ２０の車体側取付部２２を余剰開口部１０の車両前方側に位置させ、この車体側取付部２２にオーディオ等のアクセサリ２０のアクセサリ用固定ねじ２４と取付ナット２６を使用してアクセサリ用取付ブラケット２８を取り付けるものである。
【００２９】
次に作用を説明する。
【００３０】
前記インストルメントパネル２に、図１に示す如く、装飾パネル４が装着される。
【００３１】
この装飾パネル４には、図１及び図２に示す如く、左右両側部位に合計２個、かつ例えば外側方向に凸状態となる半円形状の開口部８が設けられており、この開口部８にルーバケース１６が装着される。
【００３２】
そして、ルーバケース１６は、図３及び図４に示す如く、前記装飾パネル４に形成した開口部８の内周面８−１の湾曲形状に略合致するように形成され、ルーバケース１６の上部に前記空気吹出口６として機能し、縦ルーバ１４−１と横ルーバ１４−２とからなるルーバ１４が設けられるとともに、このルーバ１４の下方に前記余剰開口部１０が一体的に形成されている。
【００３３】
前記装飾パネル６にアクセサリ２０を取り付ける際には、先ず、前記遮蔽部材１２の板状の本体部１２−１の裏面側、つまり車両前方側の縁部である外周面１２−２近傍に形成される４個の爪部１２ａ−３、１２ｂ−３、１２ｃ−３、１２ｄ−３の係合状態を、擬似ルーバ１２−４を利用して解除し、余剰開口部１０を開放する。
【００３４】
そして、この余剰開口部１０を開放することによって、図２及び図３に示す如く、余剰開口部１０を通して車両前方側に位置させた車体側取付部２２が現出される。
【００３５】
前記アクセサリ２０の車体側取付部２２にオーディオ等のアクセサリ２０のアクセサリ用取付ブラケット２４を取り付ける際には、図２及び図３に示す如く、前記余剰開口部１０を利用しつつ、アクセサリ用固定ねじ２４と取付ナット２６を使用して、車体側取付部２２にアクセサリ用取付ブラケット２８を取り付ける。
【００３６】
前記装飾パネル６へのアクセサリ２０の取付作業終了後には、前記遮蔽部材１２の擬似ルーバ１２−４を利用して、ルーバケース１６に遮蔽部材１２の爪部１２ａ−３、１２ｂ−３、１２ｃ−３、１２ｄ−３を弾性係合させ、前記空気吹出口６の下方に形成される余剰開口部１０を閉塞する。
【００３７】
これにより、前記遮蔽部材１２を前記余剰開口部１０に着脱可能に取り付ける構成としたことによって、遮蔽部材１２を余剰開口部１０に対して着脱自在に取り付けることができ、遮蔽部材１２を取り外した際に現出する余剰開口部１０をアクセサリ２０類の取付作業に利用でき、取付作業性を向上できる。
【００３８】
また、前記遮蔽部材１２の外周面１２−２を前記開口部８の内周面８−１に略一致させて設けたことにより、遮蔽部材１２と開口部８との合わせ部を目立たなくして見栄えを向上させることができる。
【００３９】
更に、前記装飾パネル４に形成した開口部８に、前記空気吹出口６の出口部、つまり車両後方側である車室内側に風向を調整するルーバ１４を備えたルーバケース１６を装着するとともに、このルーバケース１６に前記余剰開口部１０を一体形成したことにより、ルーバケース１６の内周面（例えば、空気吹出口６の内周面）と余剰開口部１０の内周面とを段差無く連絡でき、見栄えを向上させることができる。
【００４０】
更にまた、前記遮蔽部材１２に前記ルーバ１４の横ルーバ１４−２と平行な擬似ルーバ１２−４を設けたことにより、遮蔽部材１２を着脱する際の把持部として擬似ルーバ１２−４を使用することができ、遮蔽部材１２の着脱性を向上し得る。
【００４１】
また、前記装飾パネル６の中央部位にアクセサリ用開口部１８を設け、このアクセサリ用開口部１８に取り付けられるアクセサリ２０の車体側取付部２２を、前記装飾パネル６の裏側で前記余剰開口部１０を通して作業可能な位置に設けたことにより、装飾パネル６にアクセサリ２０を組み付けた状態でアクセサリ２０を車体側に取り付けることができ、装飾パネル６に対するアクセサリ２０の位置決めを容易にできるものである。
【００４２】
尚、本発明では、化粧装飾パネル６にアクセサリ用開口部１８を設け、アクセサリ用開口部１８からアクセサリ２０の操作部を露出させる構造としたが、アクセサリ用開口部１８を設けず、化粧装飾パネル６をアクセサリ２０の操作部と一体に形成してもよい。
【産業上の利用可能性】
【００４３】
インストルメントパネルに取り付けられる装飾パネルに、アクセサリを車体へ取り付ける際の作業用開口部を設けるとともに、作業用開口部に取り付けられる遮蔽部材の合わせ部を目立たなくして見栄えを向上させることができる。
【図面の簡単な説明】
【００４４】
【図１】この発明の実施例を示すインストルメントパネルに装飾パネルを取り付けた状態の概略斜視図である。
【図２】装飾パネルの概略斜視図である。
【図３】図２のＩＩＩ−ＩＩＩ線による拡大断面図である。
【図４】ルーバケースを背面側から視た状態の斜視図である。
【図５】遮蔽部材を正面側から視た状態の斜視図である。
【図６】遮蔽部材を背面側から視た状態の斜視図である。
【符号の説明】
【００４５】
２  インストルメントパネル
４  装飾パネル
６  空気吹出口
８  開口部
８−１  内周面
１０  余剰開口部
１２  遮蔽部材
１２−１  本体部
１２−２  外周面
１２ａ−３、１２ｂ−３、１２ｃ−３、１２ｄ−３  爪部
１２−４  擬似ルーバ
１４  ルーバ
１４−１  縦ルーバ
１４−２  横ルーバ
１６  ルーバケース
１８  アクセサリ用開口部
２０  アクセサリ
２２  車体側取付部
２４  アクセサリ用固定ねじ
２６  取付ナット
２８  アクセサリ用取付ブラケット
【図１】
2006224832.tif 000003
【図２】
2006224832.tif 000004
【図３】
2006224832.tif 000005
【図４】
2006224832.tif 000006
【図５】
2006224832.tif 000007
【図６】
2006224832.tif 000008